(57)【特許請求の範囲】
【請求項１】
排水用モーターとポンプケーシングとインペラとフィルタとから構成される洗濯機用排水ポンプであって
前記ポンプケーシングに給水管口、排水管口が設けられ、
前記ポンプケーシング内部に給排水の順に連通した前部空間と後部空間と有し、
前記後部空間内に前記インペラが設けられ、前記インペラは前記排水用モーターの回転軸と同軸上に配設され、
前記前部空間内に前記フィルタが設けられ、
前記フィルタの、前記インペラに隣接するろ過出口に、減圧孔付減圧板が前記フィルタと一体的に設けられ、
前記減圧板は輪状構造で、輪の内径は、前記ろ過出口の内径と同じで前記インペラの外径より小さく、輪の上に減圧孔が均等な間隔で設けられ、
少なくとも一つの前記減圧孔は前記ろ過出口の上側に位置し、
前記減圧孔の形状は、円形、楕円形、四角形または棒状をした貫通孔のうちの少なくとも一種類で、前記減圧孔の総面積が前記排水管口の断面積の０.２〜１倍であることを特徴とする洗濯機用排水ポンプ。
【請求項２】
前記排水管口を前記インペラの径方向に沿って前記後部空間のポンプケーシング上に設け、前記給水管口を円筒形状の前記前部空間の円筒の軸方向と直交する方向に前記前部空間のポンプケーシング上に設けたことを特徴とする請求項１記載の洗濯機用排水ポンプ。
【請求項３】
前記前部空間の一端が前記後部空間と連通し、他端に開口部が設けられ、前記フィルタは、前記開口部を通して前記前部空間に配設され、前記開口部に開閉蓋が設けられることを特徴とする請求項１記載の洗濯機用排水ポンプ。
【請求項４】
前記開閉蓋と前記フィルタとが相対回転自在に固定されており、前記開閉蓋は、ねじ山を介して、前記前部空間にねじ結合していることを特徴とする請求項３記載の洗濯機用排水ポンプ。
【請求項５】
前記フィルタが円柱形構造で、一端が支持板、他端が前記ろ過出口であり、前記支持板と前記ろ過出口の間は、支持シートを介して接続され、前記ろ過出口は中空円筒構造で、前記中空円筒の前記インペラに隣接する一端に同軸上に前記減圧板が一体的に設けられたことを特徴とする請求項１〜４のいずれか１項に記載の洗濯機用排水ポンプ。
【請求項６】
前記ろ過出口の外径が前記支持板の直径より小さく、前記支持シートがL字型構造で、前記中空円筒の長さは、前記支持板と前記減圧板の間の距離より小さいことを特徴とする請求項１記載の洗濯機用排水ポンプ。
【請求項７】
前記支持シートの前記前部空間の内壁に隣接する側に、固定用突出部を設け、前記前部空間の内壁に、前記開口部から円筒形状の前記前部空間の軸方向に沿って前記固定用突出部に対応する固定用溝を設け、前記固定用溝と前記給水管口とが同一軸方向線上にないことを特徴とする請求項６記載の洗濯機用排水ポンプ。
【請求項８】
前記支持シートが２〜４組であることを特徴とする請求項６または７に記載の洗濯機用排水ポンプ。
【請求項９】
前記前部空間と前記後部空間との間に前記減圧板を支持するための環状突起部を設け、前記減圧板の最大直径が前記環状突起部の内径より大きく、前記インペラの外径が前記環状突起部の内径に合うようにしたことを特徴とする請求項１に記載の洗濯機用排水ポンプ。
【請求項１０】
給水手段と、請求項１〜９のいずれか１項に記載の排水ポンプを備える洗濯機。
【発明の詳細な説明】
【技術分野】
【０００１】
本発明は、洗濯機、特に排水ポンプを採用した洗濯機および洗濯機用低騒音排水ポンプに関するものである。
【背景技術】
【０００２】
家庭用電気洗濯機は、パルセーター式洗濯機、ドラム式洗濯機、攪拌式洗濯機に分けられる。ドラム式洗濯機は最初、ヨーロッパで登場したが、消費水準の上昇や消費者ニーズの変化に伴い、ドラム式洗濯機はアジアでも広く普及するようになった。同時に生活環境の改善や、洗濯機ユーザーの家庭生活の質の向上によって、静かな住環境がますます重要視されるようになる。そのため、家電の騒音も各家電メーカーが解決しようとする重要な課題の一つになっている。そのうち、洗濯機の低騒音化が進んできた。
【０００３】
ドラム式洗濯機は、全てポンプによる強制排水方式を採用し、ドラム内の水を排水ポンプと排水ホースを通して機外へ排出される仕組みになっている。そのため、脱水時、排水ポンプが排水ホース内の水流に接触して、ブウブウと音を立てる騒音問題は徹底的に解決できていないのが現状である。ドラム式洗濯機内の水を完全に排出した後でも、排水ポンプは約１.２ｍの揚程があるため、この部分のホース内に溜まった水は排出できず、逆に重力作用で、絶えず下に向かって排水ポンプのインペラに激しくぶつかり、更にインペラに投げ出されるので、ブウブウと音を立てる。既存の低価格帯の洗濯機では、水位スイッチを採用しており、排水ポンプは脱水工程において稼動し続けなければならない。高級洗濯機でも、水位センサーを採用して、低水位の時、最低水位を検出すると、排水ポンプの稼動を止めることができるが、センサーの信号は外部干渉の影響を受けると、精度が低下し、判断ミスが極めて発生しやすい。その結果、騒音があったり、完全に排水できなかったりして、ユーザーの低騒音というニーズに応えることができない。
【０００４】
出願番号がＣＮ２００９２０２３０８２０.４の中国特許で、洗濯機用排水ポンプの低騒音ポンプケーシングが提案されている。それは、主にポンプケーシングの排水口に近い内部空間とろ過空間との間にあるポンプ内壁の端面に、防爆孔を設けることを含む。ただし、この防爆孔が排水管口より低いので、ポンプの内部空間内において依然、水と空気が混ざったものができるので、排水管内にある水が逆流する時インペラにぶつかることによって発生する騒音問題を完全に解決することができない。
【０００５】
本発明は上述した事情に鑑みてなされたものである。
【発明の概要】
【発明が解決しようとする課題】
【０００６】
本発明は、従来の課題を解決して、騒音を低減できる洗濯機用排水ポンプを提供することを目的とする。
【０００７】
本発明は、更に当該排水ポンプを有する洗濯機を提供することを目的とする。
【課題を解決するための手段】
【０００８】
本発明は上述した課題を解決するために、排水用モーターとポンプケーシングとインペラとフィルタとからなる洗濯機用排水ポンプにおいて、前記ポンプケーシングに給水管口、排水管口を設け、ポンプケーシング内部に給排水の順に連通した前部空間と後部空間と有し、後部空間内に前記インペラを設け、排水用モーターの回転軸と同軸上に配設し、前部空間内に前記フィルタを設け、前記フィルタのろ過出口がインペラに対応する側に、減圧孔付減圧板を一体的に設けたものである。
【０００９】
前記排水管口をインペラの径方向に沿って後部空間のポンプケーシング上に設け、給水管口を前部空間の軸方向に前部空間のポンプケーシング上に設ける。
【００１０】
前記前部空間の一端が後部空間と連通し、他端に開口部をつくり、フィルタは、この開口部を通して前部空間に配設し、前記開口部に開閉蓋を設ける。
【００１１】
前記開閉蓋とフィルタとが一体的な構造で、かつ、相対回転自在であり、開閉蓋は、ねじ山を介して、前部空間にねじ結合する。
【００１２】
前記フィルタが円柱形構造で、一端が支持板、他端が前記ろ過出口であり、支持板とろ過出口の間は、支持シートを介して接続し、ろ過出口は中空円筒構造で、この中空円筒がインペラに相対する一端に同軸上に前記減圧板を一体的に設ける。
【００１３】
前記減圧板は、輪状構造で、輪の内径とろ過出口の内径とが同じく、前記インペラの外形より小さくて、輪の上に減圧孔を均等な間隔で設ける。
【００１４】
前記ろ過出口の外径が支持板の直径より小さく、支持シートがL字型構造で、中空円筒の長さは、支持板と減圧板の間の距離より小さい。中空円筒の長さが給水管口の給水経路を完全に遮らないことが好ましい。
【００１５】
前記支持シートが前部空間の内壁に対応する側に、固定用突出部を設け、前部空間の内壁に、開口部から前部空間の軸方向に沿って固定用突出部に対応する固定用溝を設け、この固定用溝と給水管口とが同一軸方向線上にない。
【００１６】
前記支持シートが２〜４組であるが、２組が好ましい。
【００１７】
前記前部空間と後部空間との間に減圧板を支持するための環状突起部を設け、前記減圧板の最大直径が環状突起部の内径より大きく、インペラの外径が環状突起部の内径に合うようにする。
【００１８】
前記減圧孔の形状は、円形、楕円形、四角形または棒状をした貫通孔のうちの少なくとも一種類で、前記減圧孔の総面積が排水管口の断面積の０.２〜１倍になるようにする。
【００１９】
本発明にかかる洗濯機は、給水手段と、排水ポンプを有する排水手段とを備え、排水ポンプは、排水用モーターとポンプケーシングとインペラとフィルタとからなり、ポンプケーシングに給水管口、排水管口を設け、ポンプケーシング内部に給排水の順に連通した前部空間と後部空間と有し、後部空間内に前記インペラを設け、排水用モーターの回転軸と同軸上に配設し、前部空間内に前記フィルタを設け、前記フィルタのろ過出口がインペラに対応する側に、減圧孔付減圧板を一体的に設けたものである。
【発明の効果】
【００２０】
本発明かかる発明によれば、ポンプケーシング内部に給排水の順に連通した前部空間と後部空間と有し、排水ポンプのフィルタのろ過出口がインペラに対応する側に、減圧孔付減圧板を一体的に設けたから、排水時、排水ポンプにより水を完全に排出した後でも、次の脱水工程において衣類に含まれた水が絶えず投げ出されてくるため、排水ポンプは稼動を続ける。この時、排水管において逆流する水は、重力作用で大きな衝撃力をもってポンプの内部空間内の空気に衝撃を与えても、ポンプの内部空間内の空気が減圧孔を通して排出されるので、洗濯機の脱水時に大きな騒音が出ないようにすることができる。本発明は、構造が簡単で、信頼性が高く、低コストや騒音低減の効果を実現することができる。また、故障率が低いので、洗濯過程における騒音問題を解決し、ヒューマニズムを実現することができる。
【図面の簡単な説明】
【００２１】
【図１】本発明の一実施例における排水装置の構成図
【図２】図１における減圧板のＡ−Ａ部分の断面図
【図３】本発明にかかるフィルタの断面図
【図４】図３におけるＤ−Ｄ部分の断面図
【図５】本発明にかかるフィルタの構造を示す図
【発明を実施するための形態】
【００２２】
以下、本発明の一実施例について、図面を参照しながら説明する。
【００２３】
本発明にかかる洗濯機は、給水手段と、排水ポンプを有する排水手段とを備える。図１に示すように、洗濯機用排水ポンプはポンプケーシング１を有し、ポンプケーシング１内部に給排水の順に連通した前部空間９２と後部空間９１と、即ち図中に示す右室と左室とを有し、前部空間９２と後部空間９１との間に環状突起部を設けている。
【００２４】
後部空間９１内に前記インペラ４を設け、排水用モーター５の回転軸と同軸上に配設し、前部空間９２内にフィルタ８を設け、前記排水管口６をインペラ４の径方向に沿って後部空間９１のポンプケーシング上に設け、給水管口２を前部空間９２の軸方向に前部空間のポンプケーシング上に設け、前部空間９２の一端が後部空間９１と連通し、他端に開口部９をつくり、フィルタ８は、この開口部を通して前部空間９２に配設し、前記開口部９に開閉蓋８３を設けている。
【００２５】
この開閉蓋８３は、開口部９に取り付けられた着脱可能なもの、または、開閉蓋８３とフィルタ８とを一体的な構造とし、開閉蓋８３とフィルタ８とが相対回転自在で、開閉蓋８３は、ねじ山を介して、前部空間９２の開口部９にねじ結合し、または、ボルトおよびその他の取り外し可能な結合方法としている。
【００２６】
本発明にかかるフィルタ８が円柱形構造で、一端が支持板８４、他端が前記ろ過出口８２であり、支持板８４とろ過出口８２との間は、支持シート８１を介して接続し、ろ過出口８２は中空円筒構造で、この中空円筒がインペラ４に相対する一端に同軸上に減圧板３を一体的に設けている。開閉蓋８３がフィルタ８に連結した場合、開閉蓋８３と支持板８４は軸方向において相対回転自在に連結するようにしている。
【００２７】
前記減圧板３は、輪状構造で、輪の内径とろ過出口８２の内径とが同じく、インペラ４の外径より小さくて、輪の上に減圧孔３１を均等な間隔で設けている。また、減圧孔３１の形状は、円形、楕円形、四角形または棒状をした貫通孔のうちの少なくとも一種類で、前記減圧孔３１の総面積が排水管口６の断面積の０.２〜１倍になるようにしている。
【００２８】
前記ろ過出口８２の外径が支持板８４の直径より小さく、支持シート８１がL字型構造で、中空円筒、即ちろ過出口８２の長さは、支持板８１と減圧板３との間の距離より小さい。ろ過出口８２の長さが給水管口２の給水経路を完全に遮らないことが好ましい。
【００２９】
本発明は、フィルタ８が前部空間９２において回転することにより排水効率に影響を与えることを防止するために、前記支持シート８１が前部空間９２の内壁に対応する側に、固定用突出部７を設け、前部空間９２の内壁に、開口部９から前部空間の軸方向に沿って固定用突出部７に対応する固定用溝を設け（図中に示されていない）。また、支持シート８１が給水管口２の給水経路を遮ることを防止するために、この固定用溝と給水管口とが同一軸方向線上にないようにしている。前記支持シート８１が２〜４組であるが、２組が好ましい。
【００３０】
洗濯機が水を排水する時、洗濯槽内の洗濯水はポンプケーシング上の給水管口２から入って、前部空間９２、後部空間９１に充満し、インペラ４の作用で排水管口６から排水管を通して洗濯機外へと排出される。洗濯水が前部空間９２から後部空間９１に入る時、ろ過出口８２を通して、硬貨や異物をろ過出口外部の前部空間９２に止めることにより、後部空間９１に入ってインペラ４を壊すことを防止することができる。槽内の洗濯水が完全排出に近い時になると、給水管口２から前部空間９２に入る水が少なくなる。この時、排水管口６と洗濯機排水管（図中に示されていない）内の水は、重力作用で逆流し、高速度で後部空間９１に衝撃を与える。そして、後部空間９１内の空気は、インペラの回転による遠心力の作用で一定の圧力を持つが、後部空間９１内の圧力は減圧板３上の減圧孔３１を介して、短時間に前部空間９２に入ることができる。また、前部空間９２、給水管口２が洗濯槽と連通しているため、後部空間の中の空気は減圧孔３１を介して、圧力を滞りなく前部空間およびそれと連通した外槽に排出することにより、「ドーン、ドーン」という騒音を低減することができる。
【００３１】
本発明の最も良い実施例では、図２に示すように、減圧孔３１を圧力のかかった後部空間の部位に設けることにより、排水管口６から水が逆流する時でも、後部空間９１において大きな抵抗力が生じないことを確保すると共に、圧力を前部空間９２およびそれと連通した外槽に圧力を逃がすことができる。
【００３２】
フィルタ８がちょうど後部空間９１をふさいだ側に密閉空間を形成させるために、インペラの外径Ｃと環状突起部９３の内径Ｂとが合うようにしている。「合う」とは、インペラの外径が環状突起部の内径に等しく、または、環状突起部の内径よりやや大きく、または、小さいこと、フィルタ８のろ過出口８２の内径がインペラの外径Ｃより小さいことを指す。ろ過出口８２の内径が大きすぎる場合、後部空間９１において圧力を形成する空間がないため、排水ポンプが排水しにくくなる。前記減圧板３の外径が環状突起部９３の内径Ｂより大きいようにし、環状突起部９３を介して、フィルタの移動を防止することができる。
【００３３】
以上のように上述した発明によれば、洗濯機用排水ポンプにおいて、ポンプケーシングとフィルタの右端の蓋とが密閉した内部空間を構成し、フィルタの左端の端面に気体を排除できる減圧孔を設け、ほかの部品を要しないから、構造が簡単で、信頼性が高く、故障率が低く、いかなるコストをも増やさない。また、排水工程において、ポンプケーシング内の水と空気が混ざった物が、ポンプケーシングとろ過空間の間を流れることを確保できるため、洗濯機の脱水工程における騒音を効果的に低減することができる。
【００３４】
当然ながら、本発明は上記の実施例に限らない。この分野の技術者にとって容易に分かる解決手段で、本発明の主旨または範囲を逸脱しない状況の下、本発明に修正、変更を加えることは、本発明の特許請求の範囲およびその取替えとみなされる範囲にある。本発明はドラム式洗濯機に適用するのみでなく、排水ポンプによる強制排水方式を用いるパルセーター式洗濯機、攪拌式洗濯機にも適用するので、本発明はこのような修正と変更を含むものである。
【符号の説明】
【００３５】
１  ポンプケーシング
２  給水管口
３  減圧板
３１  減圧孔
４  インペラ
５  排水用モーター
６  排水管口
７  固定用突出部
８  フィルタ
８１  支持シート
８２  ろ過出口
８３  開閉蓋
８４  支持板
９  開口部
９１  後部空間
９２  前部空間
９３  環状突起部
【図１】
0005915914.tif 000002
【図２】
0005915914.tif 000003
【図３】
0005915914.tif 000004
【図４】
0005915914.tif 000005
【図５】
0005915914.tif 000006